(57)【要約】【課題】しわを出すシートにおいてしわの発生位置、間隔、および長さを所望位置にバランスよく出せてしわ出しを安定化させ、そして、皮革シートの見映えを向上させる。【解決手段】ワディング片１１のしわ出し所望部分１２に内圧を下げる加工を施し、そして、予め寄せ縫いを施してしわ出しされた皮革製表皮材２１を裏基布材２２の間に入れられて縫い合わせられた状態でしわ２４の発生位置、間隔、および長さを所望位置に制御する。【選択図】図２
2012081880.tif 000002
【特許請求の範囲】
【請求項１】
ワディング片のしわ出し所望部分に内圧を下げる加工を施し、そして、予め寄せ縫いを施してしわ出しされた皮革製表皮材を裏基布材の間に入れられて縫い合わせられた状態でしわの発生位置、間隔、および長さを所望位置に制御するところの自動車シートのトリム・カバー・アッセンブリに用いるワディング材。
【請求項２】
そのワディング片が、そのしわ出し所望部分にくし歯波状に肉取りされる請求項1に記載の自動車シートのトリム・カバー・アッセンブリに用いるワディング材。
【請求項３】
そのワディング片が、そのしわ出し所望部分にのこ歯状に肉取りされる請求項1に記載の自動車シートのトリム・カバー・アッセンブリに用いるワディング材。
【請求項４】
そのワディング片が、そのしわ出し所望部分に多数の溝を所定の間隔で列状に並べて付けて肉取りされる請求項1に記載の自動車シートのトリム・カバー・アッセンブリに用いるワディング材。
【発明の詳細な説明】
【技術分野】
【０００１】
この発明は、自動車シートのトリム・カバー・アッセンブリに用いるワディング材に関し、詳細には、皮革張りシートに用いるトリム・カバー・アッセンブリのワディング材に関する。
【背景技術】
【０００２】
自動車の皮革張りシートでは、トリム・カバー・アッセンブリが予め寄せ縫いされてバランスよくしわ出しされた皮革製表皮材と裏基布材の間にワディング材を入れて縫い合わせられた複数のトリム・カバー材を縫い合わせて用いられるのが一般的である。
そのワディング材が厚く、若しくは、密度を高くすると、そのワディング材からの内圧でその皮革製表皮材にバランスよく付けたしわが消えてしまい、しわが出たり出なかったりしてしわの出る位置が偏り、また、しわの間隔や長さにバラツキを生じた。すなわち、せっかく皮革の段階で適当なしわを発生させるように寄せ縫いを施してもシート張り段階でしわがバランスよく出なくなる不具合があった。
【先行技術文献】
【特許文献】
【０００３】
実開平３−６０５９９公報
【発明の概要】
【発明が解決しようとする課題】
【０００４】
この発明の課題は、しわを出す皮革シートにおいてしわの発生位置、間隔、および長さを所望位置にバランスよく出せてしわ出しを安定化させ、そして、皮革シートの見映えを向上させるところの自動車シートのトリム・カバー・アッセンブリに用いるワディング材を提供するにある。
【課題を解決するための手段】
【０００５】
この発明の自動車シートのトリム・カバー・アッセンブリに用いるワディング材は、ワディング片のしわ出し所望部分に内圧を下げる加工を施し、そして、予め寄せ縫いを施してしわ出しされた皮革製表皮材を裏基布材の間に入れられて縫い合わせられた状態でしわの発生位置、間隔、および長さを所望位置に制御する。そして、その内圧を下げる加工は、そのワディング片のそのしわ出し所望部分をくし歯状に肉取りする加工、また、そのワディング片のそのしわ出し所望部分をのこ歯状に肉取りする加工、あるいは、そのワディング片のそのしわ出し所望部分を多数の溝を所定の間隔で列状に並べて付けて肉取りする加工である。
【発明の効果】
【０００６】
この発明の自動車シートのトリム・カバー・アッセンブリに用いるワディング材では、そのワディング材が予め寄せ縫いでしわ出しされた皮革製表皮材と裏基布材の間に入れられて縫い合わせられてもそのワディング材が切欠き状に肉取りされた部分あるいは溝付け肉取りで薄くされた部分の内圧が下がり、その部分に対応するその表皮材のしわは消えることなく、すなわち、そのワディング材がその肉取りされた部分あるいはその薄くされた部分に対応されるその表皮材の部分にはしわが残り、そのようにそのワディング材に部分的に内圧を下げる加工を施すことによってしわの発生位置、間隔、および長さが所望位置に制御され、そして、しわを出す皮革シートにおいてしわの発生位置、間隔、および長さが所望位置にバランスよく出され、しわ出しが安定化され、そして、皮革シートの見映えが向上される。
【図面の簡単な説明】
【０００７】
【図１】この発明の自動車シートに用いるトリム・カバー・アッセンブリに用いるワディング材の具体例を活用するところの乗用車の皮革張フロント・シートのトリム・カバー・アッセンブリに用いるトリム・カバー材を示した斜視図である。
【図２】そのトリム・カバー材を分解して示した分解斜視図である。
【図３】この発明の自動車シートのトリム・カバー・アッセンブリに用いるワディング材の別の具体例を示した斜視図である。
【図４】この発明の自動車シートのトリム・カバー・アッセンブリに用いるワディング材のさらに別の具体例示した斜視図である。
【発明を実施するための形態】
【０００８】
この発明の自動車シートのトリム・カバー・アッセンブリに用いるワディング材は、ワディング片のしわ出し所望部分に内圧を下げる加工を施し、そして、予め寄せ縫いを施してしわ出しされた皮革製表皮材と裏基布材の間に入れられて縫い合わせられた状態でしわの発生位置、間隔、および長さを所望位置に制御する。そして、その内圧を下げる加工は、そのワディング片のそのしわ出し所望部分をくし歯に状肉取りする加工、また、そのワディング片のそのしわ出し所望部分をのこ歯状に肉取りする加工、あるいは、そのワディング片のそのしわ出し所望部分を多数の溝を所定の間隔で列状に並べて付けて肉取りする加工である。
【実施例１】
【０００９】
以下、特定されて図示された具体例に基づいて、この発明の自動車シートのトリム・カバー・アッセンブリに用いるワディング材を説明するに、図1および図２は、乗用車の皮革張りフロント・シートのトリム・カバー・アッセンブリに用いるトリム・カバー材２０に活用されるところの発明の自動車シートのトリム・カバー・アッセンブリに用いるワディング材の具体例１０を示し、そして、このワディング材１０では、所定の厚さのウレタン・スラブ材から所定の形状、寸法のワディング片１１を切断し、そして、それのしわ出し所望部分１２に内圧を下げる加工を施してそのトリム・カバー材２０に使われる。その内圧を下げる加工は、具体的には、そのワディング片１１のそのしわ出し所望部分１２をくし歯１３の形状に切り欠いて肉取りする加工でこのワディング片１１はそのしわ出し所望部分１２にくし歯状１３に肉取りする加工が施されてそのワディング材１０に仕上げられ、そして、そのトリム・カバー材２０に用いられる。
【００１０】
そのトリム・カバー材２０は、予め寄せ縫いを施してしわ出しされた天然皮革製表皮材２１と裏基布材２２の間にそのワディング材１０を入れ、それらを重ね合わせた状態で周囲を重ね縫いして作られる。そして、このトリム・カバー材２０は、別の複数のトリム・カバー材（図示せず）と縫い合わせられてそのフロント・シートのそのトリム・カバー・アッセンブリ（図示せず）に仕上げられる。勿論、その表皮材２１は、予めギャザー・ミシンで天然皮革片の所望位置２３に寄せ縫いされてバランスよくしわ出しされたものである。
【００１１】
したがって、この発明のトリム・カバー材２０は、そのワディング材１０を用いるので、そのワディング材１０がくし歯１３の形状に切り欠かれて肉取りされた部分の内圧が下がり、その部分に対応するその表皮材２１のしわ２４は消えることなく、換言すれば、そのワディング材１０が肉取りされた部分に対応するその表皮材２１の部分にはしわ２４が残り、そのようにしてそのワディング材１０に部分的に内圧を下げる加工を施すことによってしわ２４の発生位置、間隔、および長さが所望位置に制御され、そして、その皮革張りフロント・シートにおいてしわ２４の発生位置、間隔、および長さが所望位置にバランスよく出され、しわ出しが安定化され、そして、その皮革張りフロント・シートの見映えが向上される。
【実施例２】
【００１２】
図３は、乗用車の皮革張りフロント・シートのトリム・カバー・アッセンブリに用いるトリム・カバー材２０に活用されるところの発明の自動車シートのトリム・カバー・アッセンブリに用いるワディング材の別の具体例３０を示し、そして、このワディング材３０では、所定の厚さのウレタン・スラブ材から所定の形状、寸法のワディング片３１を切断し、そして、それのしわ出し所望部分３２に内圧を下げる加工を施してそのトリム・カバー材２０に使われる。その内圧を下げる加工は、具体的には、そのワディング片３１のそのしわ出し所望部分３２をくし歯３３の形状に切り欠いて肉取りする加工でこのワディング片３１はそのしわ出し所望部分３２にのこ歯状３３に肉取りする加工が施されてこのワディング材３０に仕上げられ、そして、そのトリム・カバー材２０に用いられる。
【実施例３】
【００１３】
図４は、乗用車の皮革張りフロント・シートのトリム・カバー・アッセンブリに用いるトリム・カバー材に活用されるところのこの発明の自動車シートのトリム・カバー・アッセンブリに用いるワディング材のさらに別の具体例４０を示し、そして、このワディング材４０では、所定の厚さのウレタン・スラブ材から所定の形状、寸法のワディング片４１を切断し、そして、それのしわ出し所望部分４２に内圧を下げる加工を施してそのトリム・カバー材に使われる。その内圧を下げる加工は、具体的には、そのワディング片４１のそのしわ出し所望部分４２に多数の溝４３を所定の間隔で列状に並べて付けてそのワディング片４１はそのしわ出し所望部分４２を肉取りして薄くする加工でこのワディング片４１はそのしわ出し所望部分４２にその多数の溝４３を列状に付けてそのワディング片４１のしわ出し所望部分４２を肉取りして薄くする加工が施されてワディング材４０に仕上げられ、そして、そのトリム・カバー材に用いられる。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明の自動車シートのトリム・カバー・アッセンブリに用いるワディング材は、ワディング片のしわ出し所望部分に内圧を下げる加工を施し、そして、予め寄せ縫いを施してしわ出しされた皮革製表皮材と裏基布材の間に入れられて縫い合わせられた状態でしわの発生位置、間隔、および長さを所望位置に制御するので、この発明の自動車シートのトリム・カバー・アッセンブリに用いるワディング材では、しわを出す皮革シートにおいてしわの発生位置、間隔、および長さが所望位置にバランスよく出されてしわ出しが安定化され、そして、その皮革シートに見映えが向上され、その結果、しわを出す皮革シートにとって非常に有用で実用的である。
【符号の説明】
【００１６】
１０  ワディング材
１１  ワディング片
１２  しわ出し所望部分
１３  くし歯／くし歯状
２０  トリム・カバー材
２１  天然皮革製表皮材
２２  裏基布材
２３  所望部分
２４  しわ
３０  ワディング材
３１  ワディング片
３２  しわ出し所望部分
３３  のこ歯／のこ歯状
４０  ワディング材
４１  ワディング片
４２  しわ出し所望部分
４３  溝
【図１】
2012081880.tif 000003
【図２】
2012081880.tif 000004
【図３】
2012081880.tif 000005
【図４】
2012081880.tif 000006